(57)【要約】【課題】 本発明は、各種イベントにおいて心のこもった音声メッセージを簡単かつ確実に贈ることができるボイスメールシステムの提供を課題とする。【解決手段】  パソコン１や携帯電話２がサイト提供サーバ３にアクセスした上で音声メッセージを入力すると、その音声メッセージがデータベースサーバ４にインターネットを介して送信されたあと、ＣＤＲＯＭ等の情報記録媒体に記録される。そして、音声メッセージ入りの情報記録媒体をイベント会場に送ることにより、各種イベントにおいて心のこもった音声メッセージを簡単かつ確実に贈ることができる。このため、単なる司会者の読み上げや定型的な言葉ではなく、贈り手の気持ちがこもったメッセージを相手方に伝えることが可能となる。【選択図】      図１
2006157326.tif 000002
【特許請求の範囲】
【請求項１】
サーバと情報端末装置がネットワークを介して通信可能な状態で接続され、情報端末装置から入力された音声メッセージを結婚式等のイベント会場に贈るためのボイスメールシステムであって、
前記情報端末装置は、贈り手の音声メッセージを音声情報として入力するための音声情報入力手段と、
該音声情報入力手段により入力された音声情報を前記サーバにネットワークを介して送信する音声情報送信手段とを備え、
前記サーバは、前記情報端末装置からネットワークを介して送信されてきた音声情報を受信する音声情報受信手段と、
該音声情報等受信手段により受信された音声情報を格納する音声情報格納手段と、
該音声情報格納手段に格納されている音声情報をＣＤＲＯＭ等の情報記録媒体に記録する音声情報記録手段とを備えてなることを特徴とするボイスメールシステム。
【請求項２】
前記サーバは、さらに音声情報格納手段に格納されている音声情報をイベント会場の情報端末装置またはサーバにネットワークを介して送信する音声情報送信手段を備える請求項１に記載のボイスメールシステム。
【請求項３】
前記サーバは、さらにイベント会場側の情報端末装置からあらかじめ入力されたイベント会場名、イベント日時あるいは相手方の氏名などのイベント情報を格納するイベント情報格納手段を備える請求項１または請求項２のいずれかに記載のボイスメールシステム。
【請求項４】
前記サーバは、さらに前記音声情報に悪戯や悪意あるメッセージなどの特定言語が含まれている場合に、その特定言語を排除する特定言語排除手段を備える請求項１ないし請求項３のいずれかに記載のボイスメールシステム。
【請求項５】
前記音声情報格納手段は、音声情報を同一会場、同一日時、あるいは同一相手によって一つのファイルとしてデータベース化した状態で格納するものとなされている請求項１ないし請求項４のいずれかに記載のボイスメールシステム。
【請求項６】
前記音声情報格納手段は、贈り手が選択したＢＧＭや背景効果音を音声情報とともに格納するものとなされている請求項１ないし請求項５のいずれかに記載のボイスメールシステム。
【請求項７】
前記情報端末装置は、贈り手の画像情報を入力するための画像情報入力手段と、該画像情報入力手段により入力された画像情報を前記音声情報とともに前記サーバにネットワークを介して送信する画像情報送信手段とを備える請求項１ないし請求項６のいずれかに記載のボイスメールシステム。
【請求項８】
イベント会場名、イベント日時、あるいは相手方の氏名などのイベント情報をＣＤＲＯＭ等の情報記録媒体に印刷する印刷手段が設けられている請求項１ないし請求項７のいずれかに記載のボイスメールシステム。
【発明の詳細な説明】
【技術分野】
【０００１】
本発明は、結婚式や祝賀パーティなどのイベントにおいて、お祝いなどの音声メッセージを贈るためのボイスメールシステムに関する。
【背景技術】
【０００２】
結婚式や祝賀パーティなどのイベントにおいて、お祝い電報（祝電）が利用されることが多いが、それら電報は司会者が読み上げ、しかも定型の言葉が多いため、電報の贈り手の気持ちが相手方に伝わりにくかった。
【０００３】
従来、このようなイベントにおける電報に関するシステムとして、携帯電話の情報配信網を利用して、その場所や日時等の様々な情報をユーザが必要に応じて得ることができるものが知られている（特許文献１参照）。具体的には、携帯電話情報配信網と、慶弔データベースと、慶弔情報提供網と、電報センターとで構成され、慶弔情報提供網から慶弔情報を提供するようにし、慶弔情報を慶弔情報データベースへ蓄積したあと、携帯電話の情報配信網のユーザが慶弔情報データベースから慶弔情報を取り出すものである。
【特許文献１】特開２００３−１７８１４６号
【発明の開示】
【発明が解決しようとする課題】
【０００４】
しかしながら、上述のシステムは、単にイベントの場所や日時などの情報をデータベース化するものであり、お祝い等のメッセージを相手方に贈るためには、依然として電報を利用しなければならなかった。
【０００５】
本発明は、上述の問題に鑑みてなされたものであって、各種イベントにおいて心のこもった音声メッセージを簡単かつ確実に贈ることができるボイスメールシステムの提供を課題とする。
【課題を解決するための手段】
【０００６】
本発明は、上述の課題を解決するために、サーバと情報端末装置がネットワークを介して通信可能な状態で接続され、情報端末装置から入力された音声メッセージを結婚式等のイベント会場に贈るためのボイスメールシステムであって、
前記情報端末装置は、贈り手の音声メッセージを音声情報として入力するための音声情報入力手段と、該音声情報入力手段により入力された音声情報を前記サーバにネットワークを介して送信する音声情報送信手段とを備え、
前記サーバは、前記情報端末装置からネットワークを介して送信されてきた音声情報を受信する音声情報受信手段と、該音声情報受信手段により受信された音声情報を格納する音声情報格納手段と、該音声情報格納手段に格納されている音声情報をＣＤＲＯＭ等の情報記録媒体に記録する音声情報記録手段とを備えてなることを特徴とする。
【０００７】
これによれば、音声情報が記憶されたＣＤＲＯＭ等の情報記録媒体をイベント会場に送ることにより、各種イベントにおいて心のこもった音声メッセージを簡単かつ確実に贈ることができる。このため、単なる司会者の読み上げや定型的な言葉ではなく、贈り手の気持ちがこもったメッセージを相手方に伝えることが可能となる。
【０００８】
また、前記サーバは、さらに音声情報格納手段に格納されている音声情報をイベント会場の情報端末装置またはサーバにネットワークを介して送信する音声情報送信手段を備えるのが好ましい。
【０００９】
これによれば、各種イベントにおいて心のこもった音声メッセージをより一層簡単かつ確実に贈ることができ、ひいてはイベント会場において心のこもった音声メッセージを簡単に流すことが可能となる。
【００１０】
また、前記サーバは、さらにイベント会場側の情報端末装置からあらかじめ入力されたイベント会場名、イベント日時あるいは相手方の氏名などのイベント情報を格納するイベント情報格納手段を備えるのが好ましい。
【００１１】
これによれば、贈り手が自己の情報端末装置からイベント会場名、イベント日時あるいは相手方の氏名などのイベント情報を入力するに際して、わざわざ贈り手が文字を入力する必要がなくなり、イベント会場名等を簡単に選択することができ、本システムの利便性が向上する。
【００１２】
また、前記サーバは、さらに前記音声情報に悪戯や悪意あるメッセージなどの特定言語が含まれている場合に、その特定言語を排除する特定言語排除手段を備えるのが好ましい。
【００１３】
これによれば、音声情報に悪戯や悪意のメッセージが含まれていても、それを排除することができ、本システムの信頼性が向上する。
【００１４】
また、前記音声情報格納手段は、音声情報を同一会場、同一日時、あるいは同一相手によって一つのファイルとしてデータベース化した状態で格納するものとなされているのが好ましい。
【００１５】
これによれば、音声情報格納手段から音声情報を簡単に検索することができ、本システムの効率性が向上する。
【００１６】
また、前記音声情報格納手段は、贈り手が選択したＢＧＭや背景効果音を音声情報とともに格納するものとなされているのが好ましい。
【００１７】
これによれば、音声メッセージをＢＧＭや背景効果音に載せることができ、お祝いなどにおいて、より臨場感のある音声メッセージを相手方に贈ることが可能となる。
【００１８】
また、前記情報端末装置は、贈り手の画像情報を入力するための画像情報入力手段と、該画像情報入力手段により入力された画像情報を前記音声情報とともに前記サーバにネットワークを介して送信する画像情報送信手段とを備えるのが好ましい。
【００１９】
これによれば、音声メッセージとともに贈り手の表情等が写された画像も相手方に贈ることができる。
【００２０】
また、イベント会場名、イベント日時、あるいは相手方の氏名などのイベント情報をＣＤＲＯＭ等の情報記録媒体に印刷する印刷手段が設けられているのが好ましい。
【００２１】
これによれば、ＣＤＲＯＭ等の情報記録媒体の記念品としての価値を向上させることができる。
【発明の効果】
【００２２】
本発明によれば、結婚式や祝賀パーティなどの各種イベント会場において心のこもった音声メッセージを簡単かつ確実に贈ることができる。このため、単なる司会者の読み上げや定型的な言葉ではなく、贈り手の気持ちがこもったメッセージを相手方に伝えることが可能となる。特に同じ結婚式やパーティのメッセージを集めて、それを一枚のＣＤＲＯＭにプレスし、記念品使用の包装を行った上で会場に届けるものとすれば、贈られたＣＤＲＯＭは贈られた者の一生の記念となるので、当システムの経済的効果はより一層向上する。
【発明を実施するための最良の形態】
【００２３】
次に本発明の一実施形態について説明する。
【００２４】
図１は、本実施形態にかかるボイスメールシステムの構成概略図である。
【００２５】
図１において、（１）は音声メッセージの贈り手が操作するパーソナルコンピュータ（以下、パソコン）、（２）（２）は音声メッセージの贈り手が操作する携帯電話装置、（３）は本システムに係るサイトを提供するサーバコンピュータ（以下、サイト提供サーバという）、（４）は音声情報等を格納するサーバコンピュータ（以下、データベースサーバという）であり、前記パソコン（１）および携帯電話装置（２）と、サイト提供サーバ（３）と、データベースサーバ（４）とがインターネットを介して通信可能な状態で接続されている。
【００２６】
前記パソコン（１）は、いわゆる通常の汎用コンピュータであり、キーボードやマウスなどの入力装置、画面を表示するディスプレイ、ＣＰＵ・メモリ・ハードディスク等が格納されているパソコン本体から構成される。また、前記携帯電話装置（２）は、インターネットに接続可能なものであり、表示部、番号入力部、スピーカ部、音声入力部などから構成される。
【００２７】
前記パソコン（１）および携帯電話装置（２）は、いずれも前記サイト提供サーバ（３）にアクセスすると、インターネットを介して送信されてきた各種画像を表示し、贈り手により入力された音声情報をインターネットを介して前記データベースサーバ（４）に送信することができるようになっている。例えば、パソコン（１）および携帯電話装置（２）が前記サイト提供サーバ（３）にアクセスすると、本システムに関する所定の画面が表示される。そして、贈り手が、前記パソコン（１）または携帯電話装置（２）においてイベント会場、イベント日時、相手方（主賓等）の氏名、本人の氏名を所定の案内画面に沿ってイベント情報として入力するとともに、音声メッセージを音声情報として入力すると、音声情報がインターネットを介して前記データベースサーバ（４）に送信される。
【００２８】
なお、イベント情報の入力にあたっては、イベント会場、イベント日時、相手方の氏名を贈り手側で入力するものとしてもよいし、あるいはイベント会場側のパソコン等の情報端末（６）によりあらかじめイベント会場、イベント日時、相手方の氏名が前記サイト提供サーバ（３）に格納されており、贈り手がそれらを選択していくものとしてもよい。また、音声メッセージの入力に際しては、ＢＧＭや効果音を背景に付けるように選択できるものとしてもよい。さらに、パソコン（１）や携帯電話装置（２）に取り込んだ画像情報を音声情報に添付してデータベースサーバ（３）に送信するものとしてもよい。
【００２９】
前記データベースサーバ（４）は、図２に示すように、前記パソコン（１）や携帯電話装置（２）に入力された音声情報をインターネットを介して受信する音声情報受信部として機能する通信部（４１）と、該通信部（４１）により受信された音声情報を格納する音声情報格納部（４２）と、該音声情報格納部（４２）に格納されている音声情報をＣＤＲＯＭ等の情報記録媒体（５）に記録する音声情報記録部（４３）と、各部を統括的に制御する制御部（４４）とを備えている。このデータベースサーバ（４）では、通信部（４１）により音声情報が受信され、音声情報格納部（４２）に音声情報が格納されたあと、適宜にＣＤＲＯＭ等の情報記録媒体（５）に記録される。
【００３０】
なお、制御部（４４）は中央演算処理装置（ＣＰＵ）からなり、ＲＯＭ（Read Only Memory）やハードディスクに格納されたプログラムを実行する。また、情報格納媒体は、例えば、光磁気ディスク、デジタルビデオディスク、コンパクトディスク、フロッピー（登録商標）ディスクなどがある。
【００３１】
次に本システムの動作について図３のフローチャートを用いて説明する。なお、以下の説明および図面では「ステップ」を「Ｓ」と略記することとする。
【００３２】
まず、パソコン（１）等が前記サイト提供サーバ（３）にアクセスすると（Ｓ１）、前記サイト提供サーバ（３）がインターネットを介して本システムに係る各種画面を表示させる（Ｓ２）。
【００３３】
そして、パソコン（１）等において、贈り手がイベント会場、イベント日時、相手方（主賓等）の氏名、本人の氏名を所定の案内画面に沿ってイベント情報として入力するともに（Ｓ３）、音声メッセージを音声情報として入力すると（Ｓ４）、音声情報がインターネットを介して前記データベースサーバ（４）に送信される（Ｓ５）。
【００３４】
前記データベースサーバ（４）では、通信部（４１）により音声情報が受信されたあと（Ｓ６）、音声情報格納部（４２）に音声情報が格納される（Ｓ７）。音声情報格納部（４２）に格納された音声情報は、適宜にＣＤＲＯＭ等の情報記録媒体（５）に記録される（Ｓ８）。あとは、その音声メッセージ入りの情報記録媒体（５）が宅配便や郵便等によりイベント会場に送られて、相手方に届けられることになる。
【００３５】
本システムによれば、結婚式や祝賀パーティなどの各種イベント会場において心のこもった音声メッセージを簡単かつ確実に贈ることができる。このため、単なる司会者の読み上げや定型的な言葉ではなく、贈り手の気持ちがこもったメッセージを相手方に伝えることが可能となる。特に同じ結婚式やパーティのメッセージを集めて、それを一枚のＣＤＲＯＭにプレスし、記念品仕様の包装を行った上で会場に届けるものとすれば、贈られたＣＤＲＯＭは贈られた者の一生の記念となるので、当システムの経済的効果はより一層向上する。
【００３６】
なお、この実施形態では、サイトを提供するサイト提供サーバ（３）と、音声情報をデータベース化する前記データベースサーバ（４）とを別々に構成するものとしたが、同一のサーバで構成するものとしてもよい。ただ、通常は前記サイト提供サーバ（３）は携帯電話会社等のサーバが利用され、前記データベースサーバ（４）は事業会社等のサーバが利用されることが多い。
【００３７】
また、前記音声情報格納部（４２）は、音声情報の格納方法が限定されるものでないが、音声情報を同一会場、同一日時、あるいは同一相手によって一つのファイルとしてデータベース化した状態で格納するのが好ましい。
【００３８】
また、イベント会場名、イベント日時、あるいは相手方氏名等のイベント情報をＣＤＲＯＭ等の情報記録媒体に印刷する印刷手段が本システムに設けられているのが好ましい。
【００３９】
また、前記データベースサーバ（４）に格納された音声情報は、図１に示すように、インターネットを介してイベント会場側の情報端末装置（６）に送信され、該情報端末装置（６）においてＣＤＲＯＭ等の情報記録媒体（５）に記録されるものとしてもよい。
【００４０】
また、前記データベースサーバ（４）は、図２に示すように、前記音声情報に悪戯や悪意あるメッセージ等の特定言語が含まれている場合に、その特定言語を排除する特定言語排除部（４５）を備えるのが好ましい。
【産業上の利用可能性】
【００４１】
本発明は、結婚式や祝賀パーティなどのイベント会場においてお祝いなどの音声メッセージを贈る場合に適用される。
【図面の簡単な説明】
【００４２】
【図１】本発明の一実施形態に係るボイスメールシステムの構成概略図である。
【図２】図１のデータベースサーバのハードウェア構成図である。
【図３】ボイスメールシステムの動作を示すフローチャートである。
【符号の説明】
【００４３】
１・・・パソコン
２・・・携帯電話装置
３・・・サイト提供サーバ
４・・・データベースサーバ
５・・・情報記録媒体
６・・・会場側パソコン
【図１】
2006157326.tif 000003
【図２】
2006157326.tif 000004
【図３】
2006157326.tif 000005